(57)【要約】【解決手段】支柱１ａで長手方向へ互いにずらせて周方向へ並設した接続部材２，３に連結し得る挿着部１１を有する横架部材１０と、横架部材１０に設けた支持部１２に対し長手方向へ移動可能に保持されるとともに支柱１ｃが連結される高さ調節部材１３とを備えている。支持部１２を筒状に設けるとともに高さ調節部材１３を筒状支持部１２の内側に挿通し、支持部１２に対し高さ調節部材１３を長手方向へ移動させた複数の保持位置でそれぞれ高さ調節部材１３を支持部１２に対し支える保持部を筒状支持部１２の内周と高さ調節部材１３の外周との間に設けている。【効果】支柱１ａの上端部端面に支持された支柱１ｂと高さ調節部材１３に支持された支柱１ｃとを同一長さに設定した場合にも、この支柱１ｂと支柱１ｃと間に段違いが生じることはない。【選択図】図１
2009264057.tif 000002
【特許請求の範囲】
【請求項１】
仮設足場用支柱の外周でこの支柱の長手方向へ互いにずらせて支柱の周方向へ並設した接続部材に対し着脱可能に連結し得る挿着部を有する横架部材と、この挿着部に対する反対側でこの横架部材に設けた支持部と、この支持部に対し前記支柱の長手方向へ移動可能に保持されるとともに仮設足場用支柱が着脱可能に連結される高さ調節部材とを備え、この横架部材の支持部に対し高さ調節部材を長手方向へ移動させた複数の保持位置でそれぞれこの高さ調節部材をこの支持部に対し支える保持部を設け、
前記横架部材の支持部を筒状に設けるとともに、前記高さ調節部材をこの筒状支持部の内側に挿通し、この筒状支持部の内周と高さ調節部材の外周との間に前記保持部を設けたことを特徴とする仮設足場用ブラケット。
【請求項２】
仮設足場用支柱の外周でこの支柱の長手方向へ互いにずらせて支柱の周方向へ並設した接続部材に対し着脱可能に連結し得る挿着部を有する横架部材と、この挿着部に対する反対側でこの横架部材に設けた支持部と、この支持部に対し前記支柱の長手方向へ移動可能に保持されるとともに仮設足場用支柱が着脱可能に連結される高さ調節部材とを備え、この横架部材の支持部に対し高さ調節部材を長手方向へ移動させた複数の保持位置でそれぞれこの高さ調節部材をこの支持部に対し支える保持部を設け、
前記高さ調節部材は、前記横架部材の支持部を挟む両側のうち横架部材側に対する反対側で支持部に対し支柱の長手方向へ移動可能に保持され、この支持部と高さ調節部材との間に前記保持部を設けた
ことを特徴とする仮設足場用ブラケット。
【請求項３】
前記横架部材の支持部を筒状に設けるとともに、前記高さ調節部材をこの筒状支持部の内側に挿通し、この筒状支持部の内周と高さ調節部材の外周との間に前記保持部を設けたことを特徴とする請求項２に記載の仮設足場用ブラケット。
【請求項４】
前記横架部材の筒状支持部は長手方向の両側で開口部により開放され、前記高さ調節部材はこの両側開口部から突出していることを特徴とする請求項１または請求項３に記載の仮設足場用ブラケット。
【請求項５】
前記横架部材の筒状支持部は、前記高さ調節部材に連結された仮設足場用支柱を支える外筒部と、その外筒部の内側に取着された係止部とを有し、前記高さ調節部材はその外周に取着された係止部を有し、前記保持部はこの筒状支持部の係止部と高さ調節部材の係止部とに設けられていることを特徴とする請求項１または請求項３または請求項４に記載の仮設足場用ブラケット。
【請求項６】
前記筒状支持部の係止部は外筒部の内側に挿着された内筒部であって前記保持部はこの内筒部に対し長手方向へ互いにずらせて周方向へ複数並設され、前記高さ調節部材の係止部は周方向へ複数並設された係止板であって前記保持部はこの各係止板に設けられていることを特徴とする請求項５に記載の仮設足場用ブラケット。
【請求項７】
前記保持部は、前記横架部材の支持部に対する前記高さ調節部材の周方向への移動と長手方向下側への移動とを規制することを特徴とする請求項１から請求項６のうちいずれか一つの請求項に記載の仮設足場用ブラケット。
【請求項８】
互いに隣接する仮設足場用支柱のうち、一方の仮設足場用支柱の外周でこの支柱の長手方向へ互いにずらせて支柱の周方向へ並設した接続部材に対し、請求項１から請求項７のうちいずれか一つの請求項に記載の仮設足場用ブラケットの横架部材の挿着部を着脱可能に連結するとともに、この仮設足場用ブラケットの支持部に挿通されていずれかの保持部で支えられた高さ調節部材に対し他方の仮設足場用支柱を着脱可能に連結してこの支持部で支えたことを特徴とする仮設足場。
【発明の詳細な説明】
【技術分野】
【０００１】
本発明は、例えばベランダや軒や庇等のような突出部を有する建物の外壁に沿って多数の仮設足場用支柱を並設する際に、この突出部を避けて仮設足場用支柱を上方へ連結するために用いられる仮設足場用ブラケット、並びに、そのような仮設足場用ブラケットを利用した仮設足場に関するものである。
【背景技術】
【０００２】
下記特許文献１に開示されたこの種の仮設足場用ブラケットを利用した仮設足場においては、図６（ａ）（ｂ）に示すように、互いに隣接する仮設足場用支柱１（１ａ，１ｂ，１ｃ，１ｄ）のうち支柱１ａの外周には、１８０度間隔で支柱１ａの周方向へ並設された一対の上側接続部材２及び一対の下側接続部材３をそれぞれ一組として、一対の上側接続部材２と一対の下側接続部材３とが、９０度間隔で支柱１ａの周方向へ互いにずらせて配設されているとともに、互いの接触を避けるために支柱１ａの長手方向へ間隔Ｗだけ互いにずらせて配設され、支柱１ａの上端部には支柱１ｂが連結部４に対し着脱可能に連結されて支持されている。支柱１ａの上側接続部材２と下側接続部材３とのうち一方に仮設足場用ブラケット８の基端部の挿着部１１が着脱可能に連結されるとともに、このブラケット８の先端部には支柱１ｃ，１ｄが建物の突出部を避けるように着脱可能に連結されて支持されている。支柱１ａの上側接続部材２と下側接続部材３とのうち他方にブラケット８の挿着部１１を着脱可能に連結すると、支柱１ａと支柱１ｂとに対するブラケット８の挿着部１１の位置関係が前記間隔Ｗだけ変化するとともに、ブラケット８の先端部で支柱１ｃ，１ｄを支持する高さに前記間隔Ｗだけ相違が生じる。そのため、支柱１ａの上側接続部材２と下側接続部材３とのうちいずれにブラケット８の挿着部１１を着脱可能に連結しても、ブラケット８の先端部で支柱１ｃ，１ｄを支持することができるようにブラケット８の先端部を前記間隔Ｗだけ高さ調節可能にする必要がある。
【０００３】
そこで、下記特許文献１では、ブラケット８の先端部において、横架部材１０（同公報図中水平材２１に該当）に支持部１２（同公報図中ほぞ２２に該当）が取着され、この支持部１２の外周に筒状の高さ調節部材１３（同公報図中位置調節用カラー２６に該当）が高さ方向へ移動可能に挿嵌されている。そのため、ブラケット８の支持部１２の高さが変化してもこの高さ調節部材１３がその支持部１２に対し高さ方向へ相対移動し、支柱１ａの上端部に支持された支柱１ｂと高さ調節部材１３の上端部に支持された支柱１ｃ，１ｄとを同一長さに設定した場合にも、この支柱１ｂと支柱１ｃ，１ｄと間に段違いが生じることなく、支持部１２に連結された支柱１ｃ，１ｄの下端部を高さ調節部材１３の上端部に支えることができる。
【特許文献１】特開２００３‐４１７６９号公報
【発明の開示】
【発明が解決しようとする課題】
【０００４】
しかし、上記特許文献１では、支持部１２の外周に沿って高さ方向へ相対移動し得る筒状の高さ調節部材１３の下端部が横架部材１０の外周に当接位置Ｒで当接するため、支持部１２に対する高さ調節部材１３の相対移動量が制限され、高さ調節の自由度も制限される問題があった。
【０００５】
一方、支柱１ｂの下端部を支持する支柱１ａの上端部端面から上側接続部材２までの距離Ｌが大きいと、支柱１ａの上端部にかかった力より、上側接続部材２または下側接続部材３に連結されたブラケット８の挿着部１１を支点とする支柱１ａの曲げモーメントが生じ易いので、その距離Ｌを小さくすることが好ましい。
【０００６】
ところが、前述したように、高さ調節部材１３の下端部が横架部材１０の外周に当接位置Ｒで当接して支持部１２に対する高さ調節部材１３の相対移動量が制限されて高さ調節の自由度も制限される問題があるので、前記距離Ｌを小さくするために支持部１２とともに横架部材１０を上方へ移動させると、高さ調節部材１３も上方へ大きく移動し、支柱１ｂの下端部を支持する支柱１ａの上端部端面と支柱１ｃ，１ｄの下端部を支持する高さ調節部材１３の上端部端面との間の高さの差Ｈが大きくなり、この支柱１ｂと支柱１ｃ，１ｄとを同一長さに設定した場合にはそれらの間に段違いが生じ、その高さの差Ｈを最小限に維持したままこの距離Ｌを小さくするにも限度があった。
【０００７】
この発明は、このような問題点に鑑み、上記特許文献１のブラケット８に関する設計思想と異なる新たな設計思想のもとで、横架部材の支持部及び高さ調節部材の形態をそれぞれ改良して、高さ調節の自由度を向上させることを目的としている。
【課題を解決するための手段】
【０００８】
後記実施形態の図面（図１〜５）の符号を援用して本発明を説明する。
請求項１の発明にかかる仮設足場用ブラケットは、下記のように構成されている。
この仮設足場用ブラケット８は、仮設足場用支柱１ａの外周でこの支柱１ａの長手方向へ互いにずらせて支柱１ａの周方向へ並設した接続部材２，３に対し着脱可能に連結し得る挿着部１１を有する横架部材１０と、この挿着部１１に対する反対側でこの横架部材１０に設けた支持部１２と、この支持部１２に対し前記支柱１ａの長手方向へ移動可能に保持されるとともに仮設足場用支柱１ｃ，１ｄが着脱可能に連結される高さ調節部材１３とを備えている。この横架部材１０の支持部１２に対し高さ調節部材１３を長手方向へ移動させた複数の保持位置Ｐ，Ｑでそれぞれこの高さ調節部材１３をこの支持部１２に対し支える保持部１８，１９，２１を設けている。前記横架部材１０の支持部１２を筒状に設けるとともに、前記高さ調節部材１３をこの筒状支持部１２の内側に挿通し、この筒状支持部１２の内周と高さ調節部材１３の外周との間に前記保持部１８，１９，２１を設けている。ここに「筒状」とは、連続する壁に囲まれた環形状ばかりでなく、長手方向へスリットを有する断面Ｃ形状なども含む意味で使用する。
【０００９】
請求項１の発明では、高さ調節部材１３を筒状支持部１２の内側で移動可能に挿通したので、横架部材１０を避けて高さ調節部材１３を移動させることが容易になり、高さ調節部材１３に対する筒状支持部１２の相対移動量を大きくすることが可能となって、高さ調節部材１３に対する筒状支持部１２の高さ調節の自由度を向上させることができる。
【００１０】
請求項２の発明にかかる仮設足場用ブラケットは、下記のように構成されている。
この仮設足場用ブラケット８は、仮設足場用支柱１ａの外周でこの支柱１ａの長手方向へ互いにずらせて支柱１ａの周方向へ並設した接続部材２，３に対し着脱可能に連結し得る挿着部１１を有する横架部材１０と、この挿着部１１に対する反対側でこの横架部材１０に設けた支持部１２と、この支持部１２に対し前記支柱１ａの長手方向へ移動可能に保持されるとともに仮設足場用支柱１ｃ，１ｄが着脱可能に連結される高さ調節部材１３とを備えている。この横架部材１０の支持部１２に対し高さ調節部材１３を長手方向へ移動させた複数の保持位置Ｐ，Ｑでそれぞれこの高さ調節部材１３をこの支持部１２に対し支える保持部１８，１９，２１を設けている。前記高さ調節部材１３は、前記横架部材１０の支持部１２を挟む両側のうち横架部材１０側に対する反対側で支持部１２に対し支柱１ａの長手方向へ移動可能に保持され、この支持部１２と高さ調節部材１３との間に前記保持部１８，１９，２１を設けている。
【００１１】
請求項２の発明では、横架部材１０の支持部１２を挟む両側のうち横架部材１０側に対する反対側で支持部１２に対し高さ調節部材１３を移動可能に保持したので、横架部材１０を避けて高さ調節部材１３を移動させることが容易になり、高さ調節部材１３に対する筒状支持部１２の相対移動量を大きくすることが可能となって、高さ調節部材１３に対する筒状支持部１２の高さ調節の自由度を向上させることができる。
【００１２】
請求項２の発明を前提とする請求項３の発明において、前記横架部材１０の支持部１２を筒状に設けるとともに、前記高さ調節部材１３をこの筒状支持部１２の内側に挿通し、この筒状支持部１２の内周と高さ調節部材１３の外周との間に前記保持部１８，１９，２１を設けている。ここに「筒状」とは、連続する壁に囲まれた環形状ばかりでなく、長手方向へスリットを有する断面Ｃ形状なども含む意味で使用する。請求項３の発明では、高さ調節部材１３を筒状支持部１２の内側で移動可能に挿通したので、横架部材１０を避けて高さ調節部材１３を移動させることが容易になり、高さ調節部材１３に対する筒状支持部１２の相対移動量を大きくすることが可能となって、高さ調節部材１３に対する筒状支持部１２の高さ調節の自由度を向上させることができる。
【００１３】
請求項１または請求項３の発明を前提とする請求項４の発明において、前記横架部材１０の筒状支持部１２は長手方向の両側で開口部１４により開放され、前記高さ調節部材１３はこの両側開口部１４から突出している。請求項４の発明では、高さ調節部材１３の長手方向長さが筒状支持部１２の長手方向長さよりも長くなって、高さ調節部材１３に対する筒状支持部１２の相対移動量を大きくすることが可能となる。
【００１４】
請求項１または請求項３または請求項４の発明を前提とする請求項５の発明において、前記横架部材１０の筒状支持部１２は、前記高さ調節部材１３に連結された仮設足場用支柱１ｃ，１ｄを支える外筒部１５と、その外筒部１５の内側に取着された係止部１６とを有し、前記高さ調節部材１３はその外周に取着された係止部２０を有し、前記保持部１８，１９，２１はこの筒状支持部１２の係止部１６と高さ調節部材１３の係止部２０とに設けられている。例えば、高さ調節部材１３に連結された仮設足場用支柱１ｃ，１ｄはこの高さ調節部材１３の係止部２０に支えられる。請求項５の発明では、保持部１８，１９，２１を有する係止部１６，２０を筒状支持部１２の外筒部１５や高さ調節部材１３と別に設けてそれらに取着したので、筒状支持部１２及び高さ調節部材１３に保持部１８，１９，２１を設け易い。
【００１５】
請求項５の発明を前提とする請求項６の発明において、前記筒状支持部１２の係止部は外筒部１５の内側に挿着された内筒部１６であって前記保持部１８，１９はこの内筒部１６に対し長手方向へ互いにずらせて周方向へ複数並設され、前記高さ調節部材１３の係止部は周方向へ複数並設された係止板２０であって前記保持部２１はこの各係止板２０に設けられている。請求項６の発明では、各保持部１８，１９を有する内筒部１６を筒状支持部１２の外筒部１５と別に設けてその外筒部１５に取着するとともに、各保持部２１を有する係止板２０を高さ調節部材１３と別に設けてその高さ調節部材１３に取着したので、筒状支持部１２及び高さ調節部材１３に各保持部１８，１９，２１を設け易い。
【００１６】
請求項１から請求項６のうちいずれか一つの請求項の発明を前提とする請求項７の発明において、前記保持部１８，１９，２１は、前記横架部材１０の支持部１２に対する前記高さ調節部材１３の周方向への移動と長手方向の下側への移動とを規制する。請求項７の発明では、筒状支持部１２に対し高さ調節部材１３を保持部１８，１９，２１により安定的に保持することができる。
【００１７】
請求項８の発明にかかる仮設足場は、下記のように構成されている。
互いに隣接する仮設足場用支柱１ａ，１ｃ，１ｄのうち、一方の仮設足場用支柱１ａの外周でこの支柱１ａの長手方向へ互いにずらせて支柱１ａの周方向へ並設した接続部材２，３に対し、請求項１から請求項７のうちいずれか一つの請求項に記載の仮設足場用ブラケット８の横架部材１０の挿着部１１を着脱可能に連結するとともに、この仮設足場用ブラケット８の支持部１２に挿通されていずれかの保持部１８，１９，２１で支えられた高さ調節部材１３に対し他方の仮設足場用支柱１ｃ，１ｄを着脱可能に連結してこの支持部１２で支えた。
【００１８】
請求項８の発明では、請求項１から請求項７のうちいずれか一つの請求項の発明の効果を仮設足場において発揮させることができる。
【発明の効果】
【００１９】
本発明は、高さ調節部材１３に対する支持部１２の高さ調節の自由度を向上させることができる。従って、接続部材２，３に連結されたブラケット８の挿着部１１を支点とする支柱１ａの曲げモーメントを小さくするために支柱１ａの上端部端面から接続部材２，３までの距離Ｌを小さくしても、支柱１ａの上端部に支持された支柱１ｂの下端部と高さ調節部材１３に支持された支柱１ｃ，１ｄの下端部との間の高さの差Ｈを最小限に維持し、この支柱１ｂと支柱１ｃ，１ｄとを同一長さに設定した場合にも、この支柱１ｂと支柱１ｃ，１ｄと間に段違いが生じることはない。
【発明を実施するための最良の形態】
【００２０】
以下、本発明の一実施形態にかかる仮設足場用ブラケット及び仮設足場について図面を参照して説明する。
図１，２に示す円管状支柱１（１ａ，１ｂ，１ｃ，１ｄ）は、建物の外壁に沿って多数並設した仮設足場用支柱のうちの一部である。支柱１ａの上端部外周には、１８０度間隔で支柱１ａの周方向へ並設された一対の上側接続部材２及び一対の下側接続部材３をそれぞれ一組として、一対の上側接続部材２と一対の下側接続部材３とが、９０度間隔で支柱１ａの周方向へ互いにずらせて配設されているとともに、互いの接触を避けるために支柱１ａの長手方向（上下方向）へ間隔Ｗだけ互いにずらせて配設されている。支柱１ａの上端部内周には円管状連結部４が上方へ突出するように挿着され、その連結部４には連結孔５が連結部４の直径方向へ貫設されている。この連結部４の外周に支柱１ｂの下端部内周が嵌め込まれて支柱１ａの上端部端面に支柱１ｂの下端部端面が当接して支えられ、支柱１ｂの下端部に貫設された連結孔６を通して連結部４の連結孔５に止めピン７が挿着されて支柱１ａと支柱１ｂとが上下方向へ連結されている。ちなみに、支柱１ｂの下端部を支持する支柱１ａの上端部端面から上側接続部材２までの距離Ｌはできる限り小さく設定されている。
【００２１】
図１，２に示す仮設足場用ブラケット８においては、下側に補強部材９が斜めに取着された横架部材１０の基端部に楔状の挿着部１１が取着されているとともに、図３，４にも示すようにこの挿着部１１に対する反対側で横架部材１０の先端部に円筒状の支持部１２が上下方向へ延びるように取着され、この支持部１２の内周に円筒状の高さ調節部材１３が長手方向（上下方向）へ横架部材１０を避けて移動可能に挿通されてこの支持部１２の上下両端部で開放された開口部１４から突出している。この支持部１２は、横架部材１０の先端部に取着された板状の外筒部１５と、その外筒部１５の下半部内側に長手方向（上下方向）へ移動不能に挿着された係止部としての板状の内筒部１６とを有している。この内筒部１６においては、図５に示すように、１８０度間隔で周方向へ並設された一対の切欠部１７により分断された一対の上端縁に略半円弧状の保持部としての係止凹部１８が周方向へ１８０度間隔で上向きに形成され、その両上端縁間から一対の切欠部１７が下方へ形成されてその両切欠部１７の下端縁に略半円弧状の保持部としての係止凹部１９が周方向へ１８０度間隔で上向きに形成されて両係止凹部１８に対し９０度間隔で周方向へずらせて配設されている。この高さ調節部材１３においては、長手方向（上下方向）の中間部付近の外周に一対の係止部としての係止板２０が１８０度間隔で周方向へ並ぶように取着されてその両係止板２０の下端部に略半円弧状の保持部としての係止凸部２１が下向きに形成され、その両係止板２０より上方で上半部の外周に連結孔２２が直径方向へ貫設されているとともに、その両係止板２０より下方で下端部付近の外周にストッパ２３が出入可能に取着されている。横架部材１０の支持部１２に上側開口部１４から挿通された高さ調節部材１３は、支持部１２に対し周方向へ回動されて、両係止板２０の係止凸部２１が内筒部１６の上側の両係止凹部１８に係入される上側保持位置Ｐと、両係止板２０の係止凸部２１が内筒部１６の両切欠部１７に挿入されて下側の両係止凹部１９に係入される下側保持位置Ｑとを取り、ストッパ２３が支持部１２の内筒部１６の下端縁に当接して支持部１２から上方へ抜けないようになっている。ちなみに、上側の両係止凹部１８と下側の両係止凹部１８との間隔Ｗは、前記支柱１ａにある上側の両接続部材２と下側の両下側接続部材３との間隔Ｗに略等しく設定されている。
【００２２】
図１，３に示すように、仮設足場用ブラケット８において、横架部材１０の楔状挿着部１１を支柱１ａの下側接続部材３に着脱可能に嵌着するとともに、補強部材９を支柱１ａの外周に当てがった状態で、高さ調節部材１３を前記上側保持位置Ｐで保持すると、支持部１２に対する高さ調節部材１３の周方向への移動と長手方向下側への移動とが規制されて支持部１２に対し高さ調節部材１３を安定的に保持することができる。この支持部１２の上側開口部１４から上方へ突出する高さ調節部材１３の上半部の外周に支柱１ｃの下端部内周が嵌め込まれるとともに、支柱１ｃの下端部が支持部１２の上側開口部１４から下方へ嵌め込まれて支柱１ｃの下端部端面が高さ調節部材１３の両係止板２０の上端部に当接して支えられ、その支柱１ｃの下端部に貫設された連結孔２４を通して支持部１２の連結孔２２に止めピン２６が着脱可能に挿着されて支持部１２の上方に支柱１ｃが連結される。
【００２３】
図２，４に示すように、仮設足場用ブラケット８において、横架部材１０の楔状挿着部１１を支柱１ａの上側接続部材２に着脱可能に嵌着するとともに、補強部材９を支柱１ａの外周に当てがった状態で、高さ調節部材１３を前記下側保持位置Ｑで保持すると、支持部１２に対する高さ調節部材１３の周方向への移動と長手方向下側への移動とが規制されて支持部１２に対し高さ調節部材１３を安定的に保持することができる。この支持部１２の上側開口部１４から上方へ突出する高さ調節部材１３の上半部の外周に支柱１ｄの下端部内周が嵌め込まれるとともに、支柱１ｄの下端部が支持部１２の上側開口部１４から下方へ嵌め込まれて支柱１ｄの下端部端面が高さ調節部材１３の両係止板２０の上端部に当接して支えられ、その支柱１ｄの下端部に貫設された連結孔２４を通して支持部１２の連結孔２２に止めピン２６が着脱可能に挿着されて支持部１２の上方に支柱１dが連結される。
【００２４】
なお、仮設足場において、図１，３に示す支柱１ａと図２，４に示す支柱１ａとが同一である場合、図１，３に示すブラケット８と図２，４に示すブラケット８とは９０度間隔で周方向へずれた位置関係になる。
【００２５】
本実施形態は下記の効果を有する。
＊  支柱１ｃ，１ｄが連結される高さ調節部材１３に対し筒状支持部１２を長手方向（上下方向）へ横架部材１０とともに移動させても、高さ調節部材１３のストッパ２３に筒状支持部１２の内筒部１６の下端縁が当接しない限り、横架部材１０が高さ調節部材１３に当接することなく、高さ調節部材１３に対する筒状支持部１２の相対移動量を大きくすることが可能となる。そのため、高さ調節部材１３に対する筒状支持部１２の高さ調節の自由度が向上する。従って、接続部材２，３に連結されたブラケット８の挿着部１１を支点とする支柱１ａの曲げモーメントを小さくするために支柱１ａの上端部端面から上側接続部材２までの距離Ｌを小さくしても、支柱１ａの上端部端面に支持された支柱１ｂの下端部端面と高さ調節部材１３に支持された支柱１ｃ，１ｄの下端部端面との間の高さの差Ｈを最小限に維持し、この支柱１ｂと支柱１ｃ，１ｄとを同一長さに設定した場合にも、この支柱１ｂと支柱１ｃ，１ｄと間に段違いが生じることはない。
【００２６】
＊  高さ調節部材１３を筒状支持部１２の上下両側開口部１４から突出させて高さ調節部材１３の長手方向長さを筒状支持部１２の長手方向長さよりも長くしたので、高さ調節部材１３に対する筒状支持部１２の相対移動量を大きくして高さ調節部材１３に対する筒状支持部１２の高さ調節の自由度を向上させることができる。
【００２７】
＊  各係止凹部１８，１９を有する内筒部１６を筒状支持部１２の外筒部１５とは別に設けてその外筒部１５に取着したので、内筒部１６に各係止凹部１８，１９を形成した後にその内筒部１６を外筒部１５に取着することにより、各係止凹部１８，１９を筒状支持部１２に設け易いとともに、異なる各係止凹部１８，１９を有する内筒部１６に容易に交換することができる。また、各係止凸部２１を有する係止板２０を高さ調節部材１３とは別に設けてその高さ調節部材１３に取着したので、各係止板２０に係止凸部２１を形成した後にその各係止板２０を高さ調節部材１３に取着することにより、高さ調節部材１３に各係止凸部２１を設け易いとともに、異なる係止凸部２１を有する各係止板２０に容易に交換することができる。
【００２８】
前記実施形態以外にも例えば下記のように構成してもよい。
・  前記実施形態では、筒状支持部１２の外筒部１５が内側半円筒部１５ａと外側半円筒部１５ｂとにより形成され、横架部材１０に取着された内側半円筒部１５ａを挟む両側すなわち横架部材１０側と内側半円筒部１５ａの内周側とのうち、横架部材１０側に対する反対側となる内側半円筒部１５ａの内周側で、高さ調節部材１３を筒状支持部１２に対し支柱１ａの長手方向へ横架部材１０を避けて移動可能に保持している。この支持部１２としては、外側半円筒部１５ｂを省略した断面形状など、高さ調節部材１３に横架部材１０が当接しない各種断面形状に変更することができる。例えば、支持部１２の断面を蟻溝形状にし、高さ調節部材１３の断面をその蟻溝に嵌合される蟻形状にしたり、逆に、高さ調節部材１３の断面を蟻溝形状にし、支持部１２の断面をその蟻溝に嵌合される蟻形状にする。
【００２９】
・  前記実施形態では、係止凹部１８，１９を有する内筒部１６を筒状支持部１２の外筒部１５の内側に挿着するとともに、係止凸部２１を有する係止板２０を高さ調節部材１３の外周に取着したが、逆に、係止凸部を有する係止板を筒状支持部１２の外筒部１５の内側に取着するとともに、係止凹部を有する外筒部を高さ調節部材１３の外周に挿着してもよい。
【００３０】
・  前記実施形態では、係止凹部１８，１９を内筒部１６に一対設けるとともに、係止凸部２１を有する係止板２０を高さ調節部材１３に一対設けているが、それぞれ一または三以上設けてもよい。
【００３１】
・  前記実施形態では、係止凹部１８，１９を内筒部１６に設けるとともに、係止凸部２１を有する係止板２０を高さ調節部材１３に設けているが、逆に、係止凸部を内筒部１６に設けるとともに、係止凹部を有する係止板２０を高さ調節部材１３に設けてもよい。
【００３２】
・  前記実施形態では、係止凹部１８，１９を内筒部１６に一対設けているが、高さ調節部材１３において係止凸部２１を有する両係止板２０と同様に、内筒部１６に代えて係止凹部を有する両係止板を設けてもよい。
【図面の簡単な説明】
【００３３】
【図１】本実施形態にかかる仮設足場用ブラケットを利用した仮設足場の一部を示す部分正面図である。
【図２】同じく上記仮設足場の一部を示す部分正面図である。
【図３】（ａ）は図１を正面側から見た部分拡大断面図であり、（ｂ）は図１を側面側から見た部分拡大断面図である。
【図４】（ａ）は図２を正面側から見た部分拡大断面図であり、（ｂ）は図２を側面側から見た部分拡大断面図である。
【図５】上記仮設足場用ブラケットを分解して示す部分斜視図である。
【図６】（ａ）は従来の仮設足場用ブラケットを利用した仮設足場の一部を示す部分正面図であり、（ｂ）は同じく上記仮設足場の一部を示す部分正面図である。
【符号の説明】
【００３４】
１（１ａ，１ｂ，１ｃ，１ｄ）…仮設足場用支柱、２，３…支柱の接続部材、８…仮設足場用ブラケット、１０…横架部材、１１…横架部材の挿着部、１２…横架部材の支持部、１３…高さ調節部材、１４…支持部の開口部、１５…支持部の外筒部、１６…支持部の係止部としての内筒部、１８，１９…内筒部の保持部としての係止凹部、２０…係止部としての係止板、２１…係止板の保持部としての係止凸部、Ｐ，Ｑ…保持位置。
【図１】
2009264057.tif 000003
【図２】
2009264057.tif 000004
【図３】
2009264057.tif 000005
【図４】
2009264057.tif 000006
【図５】
2009264057.tif 000007
【図６】
2009264057.tif 000008